(57)【要約】【課題】折りたたみ構造の携帯無線機において、下筐体内の回路基板と上筐体内の回路基板とを接続する接続線から発生するノイズのアンテナへの影響を低減できるとともに、アンテナ利得の劣化を低減できる携帯無線機を提供する。【解決手段】下筐体１０内に設けられた第１の回路基板１０１と、上筐体２０内に設けられた第２の回路基板２０１と、下筐体１０内に設けられた第３の回路基板１０２と、第３の回路基板１０２に設けられた無線部１０３と、無線部１０３からの電力を給電用板金１０４を介してヒンジガイド３０に供給する給電部１０５と、第１の回路基板１０１と第２の回路基板２０１とを電気的に接続する接続線４０と、を備え、給電部１０５を、第３の回路基板１０２において、接続線４０と第１の回路基板１０１の接続部１０９とは下筐体１０の厚み方向における逆面に配置した。【選択図】図２
2012253711.tif 000002
【特許請求の範囲】
【請求項１】
第１の筐体と第２の筐体とがヒンジガイド及びヒンジコアで開閉可能に連結された携帯無線機において、
前記第１の筐体内に設けられた第１の回路基板と、
前記第２の筐体内に設けられた第２の回路基板と、
前記第１の筐体内に設けられた第３の回路基板と、
前記第３の回路基板に設けられた無線部と、
前記無線部からの電力を給電用板金を介して前記ヒンジガイドに供給する給電部と、
前記第１の回路基板と前記第２の回路基板とを電気的に接続する接続線と、を備え、
前記給電部は、前記第３の回路基板において、前記接続線と前記第１の回路基板の接続部とは前記第１の筐体の厚み方向における逆面に配置されていることを特徴とする携帯無線機。
【請求項２】
請求項１に記載の携帯無線機であって、
前記給電用板金は、その一部分が前記第１の筐体の側面に沿って設けられている携帯無線機。
【発明の詳細な説明】
【技術分野】
【０００１】
本発明は、折りたたみ構造の携帯無線機に関する。
【背景技術】
【０００２】
折りたたみ構造の携帯無線機には、下筐体と上筐体を回動自在に連結させて開閉のみを行える構造のもの、下筐体と上筐体を回動自在に連結させるとともに、上筐体を水平方向（この場合、上下筐体の開閉方向を垂直方向とする）に１８０度の回動可能とした構造（スイベル構造と呼ばれる）のもの、縦方向及び横方向のそれぞれの方向に対して折りたたむことができる構造（ダブル構造と呼ばれる）のものがある。
【０００３】
折りたたみ構造の携帯無線機の下筐体内に配置された回路基板と上筐体内に配置された回路基板は、フレキシブルケーブルや細線同軸ケーブル等の接続線で電気的に接続されている。この接続線には信号が流れることからノイズが発生する。接続線の近傍にアンテナがあると、接続線からのノイズの影響を受けてしまい、通信品質の低下に繋がる。このような問題に対し、例えば特許文献１で開示された電子機器では、接続線を回転軸となる金属部品に巻付けて該金属部品と容量結合させるとともに、該金属部品を回路基板のグランドに接続するようにして、接続線から発生するノイズの影響を低減させている。
【０００４】
また、特許文献２で開示された折畳式携帯無線機では、ヒンジの回転軸となる導体部材（“ヒンジコア”と呼ばれるもの）をアンテナとして使用し、このアンテナを筐体幅方向の一方の側面側に配置する一方、下筐体内の回路基板と上筐体内の回路基板とを接続する接続線を他方の側面側に配置するようにして、接続線から発生するノイズの影響を低減させている。
【０００５】
なお、下筐体内の回路基板と上筐体内の回路基板とを接続する接続線のアンテナへの影響にはノイズの他にアンテナ利得の低減がある。即ち、アンテナの近傍に接続線が存在すると、アンテナとの間で電磁結合が生じ、これが原因でアンテナ利得が低減する。
【先行技術文献】
【特許文献】
【０００６】
【特許文献１】特開２００９−２３９８２０号公報
【特許文献２】特開２００６−０５４８４３号公報
【発明の概要】
【発明が解決しようとする課題】
【０００７】
しかしながら、特許文献１で開示された電子機器においては、接続線から発生するノイズの影響を低減できるものの、接続線を巻き付けた金属部品はアンテナとして使用することができない。
【０００８】
特許文献２で開示された折畳式携帯無線機においても、接続線から発生するノイズによるヒンジコアへの影響を低減できるが、接続線を配置した側の導体部材もアンテナとして使用する場合、接続線から発生するノイズの影響を受けてしまう。また、接続線が近接することによるアンテナ利得の低減も生ずる。
【０００９】
近年、携帯無線機では、ＧＰＳ（Global Positioning System）、ブルートゥース、地上波ディジタルテレビ（所謂ワンセグ）、ＲＦＩＤ（Radio Frequency IDentification）など様々なアプリケーションが搭載されるようになってきており、それに応じてアンテナのマルチバンド化が図られている。このような現状から１つでも多くアンテナを確保することが重要である。
【００１０】
本発明は、係る事情に鑑みてなされたものであり、折りたたみ構造の携帯無線機において、上下筐体を接続するヒンジをアンテナとして使用する場合、下筐体内の回路基板と上筐体内の回路基板とを接続する接続線から発生するノイズの影響を低減できるとともに、当該接続線が近接することによるアンテナ利得の劣化を低減できる携帯無線機を提供することを目的とする。
【課題を解決するための手段】
【００１１】
本発明の携帯無線機は、第１の筐体と第２の筐体とがヒンジガイド及びヒンジコアで開閉可能に連結された携帯無線機において、前記第１の筐体内に設けられた第１の回路基板と、前記第２の筐体内に設けられた第２の回路基板と、前記第１の筐体内に設けられた第３の回路基板と、前記第３の回路基板に設けられた無線部と、前記無線部からの電力を給電用板金を介して前記ヒンジガイドに供給する給電部と、前記第１の回路基板と前記第２の回路基板とを電気的に接続する接続線と、を備え、前記給電部は、前記第３の回路基板において、前記接続線と前記第１の回路基板の接続部とは前記第１の筐体の厚み方向における逆面に配置されている。
【００１２】
上記構成によれば、給電部と、接続線及び第１の回路基板の接続部との、筺体厚み方向における距離を長くとることができる。したがって、ヒンジガイドをアンテナとして使用した場合に、接続線から発生するノイズの影響を低減できるとともに、アンテナ利得の劣化を低減できる。
【００１３】
上記構成において、前記給電用板金は、その一部が前記第１の筐体の側面に沿って設けられている。
【００１４】
上記構成によれば、給電用板金の一部を筐体の側面にも配置するので、給電用板金と、接続線との、筺体幅方向における距離を長くとることができる。したがって、接続線から発生するノイズの影響を低減できるとともに、アンテナ利得の劣化も低減できる。
【発明の効果】
【００１５】
本発明によれば、折りたたみ構造の携帯無線機において、上下筐体を接続するヒンジをアンテナとして使用する場合、下筐体内の回路基板と上筐体内の回路基板とを接続する接続線から発生するノイズの影響を低減できるとともに、当該接続線が近接することによるアンテナ利得の劣化を低減できる。
【図面の簡単な説明】
【００１６】
【図１】本発明の一実施の形態に係る携帯無線機を示す概観図
【図２】図１の携帯無線機における給電用板金とその周辺に配置された各部材の断面を示す図
【図３】図１の携帯無線機の給電用板金の応用例を概略的に示す図
【発明を実施するための形態】
【００１７】
以下、本発明を実施するための好適な実施の形態について、図面を参照して詳細に説明する。
【００１８】
図１は、本発明の一実施の形態に係る携帯無線機を示す概観図である。同図において、本実施の形態の携帯無線機１は、下筐体（第１の筐体）１０に対して上筐体（第２の筐体）２０を回動自在に連結させて開閉のみを行える折りたたみ構造とした携帯無線機である。下筐体１０と上筐体２０は、ヒンジガイド３０及びヒンジコア３１で開閉可能に連結されている。
【００１９】
下筐体１０内には、共に方形状に形成された第１の回路基板１０１及び第３の回路基板１０２が配置されている。第３の回路基板１０２は、第１の回路基板１０１よりも小型に形成されており、第１の回路基板１０１に近接し、かつ平行に配置されている。第３の回路基板１０２の左端の上角部分には、無線部１０３と、無線部１０３からの電力を給電用板金１０４を介してヒンジガイド３０に供給する給電部１０５が配置されている。給電用板金１０４は、全体として略Ｌ字状に形成されており、方形状の主部１０４ａと、その主部１０４ａの１つの角部を延設した帯状の接続部１０４ｂとから構成される。給電用板金１０４の接続部１０４ｂの先端部分がヒンジガイド３０と接続される。
【００２０】
上筐体２０内には第２の回路基板２０１が配置されている。下筐体１０内の第１の回路基板１０１と上筐体２０内の第２の回路基板２０１は、フレキシブルケーブルや細線同軸ケーブル等の接続線４０で電気的に接続されている。この接続線４０は、ヒンジガイド３０側に配置されている。第１の回路基板１０１の右端の上角部分には、無線部１０６と、無線部１０６からの電力を給電用板金１０７を介してヒンジコア３１に供給する給電部１０８が配置されている。ヒンジガイド３０及びヒンジコア３１は、それぞれアンテナとして使用される。
【００２１】
図２は、図１における給電用板金１０４とその周辺に配置された各部材の断面を示す図である。同図において、矢印Ａは下筐体１０の厚み方向を示している。下筐体１０の厚み方向の上側即ち下筐体１０の正面側にはキー操作部１１０が配置されている。このキー操作部１１０の下筐体厚み方向Ａの下側に第１の回路基板１０１が位置し、さらに第１の回路基板１０１の下筐体厚み方向Ａの下側に第３の回路基板１０２が位置している。第１の回路基板１０１には、接続線４０を接続するための接続部１０９が設けられており、この接続部１０９に接続線４０の一端が接続される。第１の回路基板１０１の接続部１０９は、第１の回路基板１０１の下筐体厚み方向Ａの上側の面即ちキー操作部１１０に対向する面に配置されている。第３の回路基板１０２の給電部１０５は、第３の回路基板１０２において、接続線４０と第１の回路基板１０１の接続部１０９とは下筐体厚み方向Ａにおける逆面に配置されている。
【００２２】
このようにして、接続線４０の一端を第１の回路基板１０１に接続するための接続部１０９及び無線部１０３からの電力をヒンジガイド３０に供給する給電部１０５を配置することで、給電部１０５と、接続線４０及び第１の回路基板１０１の接続部１０９との、下筺体厚み方向Ａにおける距離Ｌ１を長くとることができる。これにより、アンテナとして使用するヒンジガイド３０に対し、接続線４０から発生するノイズの影響を低減できるとともに、アンテナ利得の劣化を低減できる。
【００２３】
このように本実施の形態の携帯無線機１によれば、下筐体１０と上筐体２０とがヒンジガイド３０及びヒンジコア３１で開閉可能に連結された携帯無線機１において、下筐体１０内に配置された第１の回路基板１０１と、上筐体２０内に配置された第２の回路基板２０１と、下筐体１０内に配置された第３の回路基板１０２と、第３の回路基板１０２に設けられた無線部１０３と、無線部１０３からの電力を給電用板金１０４を介してヒンジガイド３０に供給する給電部１０５と、第１の回路基板１０１と第２の回路基板２０１とを電気的に接続する接続線４０と、を備え、無線部１０３、給電用板金１０４及び給電部１０５を、第３の回路基板１０２において、接続線４０及び第１の回路基板１０１の接続部１０９と下筐体厚み方向Ａにおける逆面に配置したので、給電部１０５と、接続線４０及び第１の回路基板１０１の接続部１０９との、下筺体厚み方向Ａにおける距離Ｌ１を長くとることができ、アンテナとして使用するヒンジガイド３０に対する、接続線４０からのノイズの影響を低減できるとともに、アンテナ利得の劣化を低減できる。そして、ヒンジガイド３０をアンテナとして問題なく使用できることから、アンテナとして使用するヒンジコア３１とともにアンテナのマルチバンド化に対応できる。
【００２４】
なお、本実施の形態の携帯無線機１では、給電用板金１０４そのものを第３の回路基板１０２に設けたが、給電用板金１０４の接続部１０４ｂを含む一部分を下筐体１０の側面に設けるようにして良い。図３は、その一例を概略的に示す図である。同図に示すように、給電用板金１０４の接続部１０４ｂを含む一部分（“折曲げ部”と呼ぶ）１０４ｃを９０度に折り曲げて、その折曲げ部１０４ｃを下筐体１０の側面１０ａに沿って設ける。このようにして給電用板金１０４を設けることで、給電用板金１０４と、接続線４０との、下筺体幅方向Ｂにおける距離Ｌ２を長くとることができ、接続線４０から発生するノイズの影響を低減できるとともに、アンテナ利得の劣化も低減できる。
【００２５】
また、本実施の形態の携帯無線機１は、下筐体１０に対して上筐体２０を回動自在に連結させて開閉のみの行える構造のものであったが、下筐体に対して上筐体を回動自在に連結させるとともに、上筐体を水平方向に１８０度の回動可能としたスイベル構造のものや、縦方向及び横方向のそれぞれの方向に対して折りたたむことができるダブル構造のものにも勿論適用できる。
【産業上の利用可能性】
【００２６】
本発明は、折りたたみ構造の携帯無線機において、上下筐体を接続するヒンジをアンテナとして使用する場合、下筐体内の回路基板と上筐体内の回路基板とを接続する接続線から発生するノイズの影響を低減できるとともに、当該接続線が近接することによるアンテナ利得の劣化を低減できるといった効果を有し、折りたたみ構造の携帯電話機などへの適用が可能である。
【符号の説明】
【００２７】
１  携帯無線機
１０  下筐体
２０  上筐体
３０  ヒンジガイド
３１  ヒンジコア
４０  接続線
１０１  第１の回路基板
１０２  第３の回路基板
１０３、１０６  無線部
１０４、１０７  給電用板金
１０４ａ  給電用板金の主部
１０４ｂ  給電用板金の接続部
１０４ｃ  給電用板金の折曲げ部
１０５、１０８  給電部
１０９  接続部
１１０  キー操作部
２０１  第２の回路基板
【図１】
2012253711.tif 000003
【図２】
2012253711.tif 000004
【図３】
2012253711.tif 000005